(57)【特許請求の範囲】
【請求項１】
室外機と、単一又は同一モードで運転される複数の第１室内機と、単一又は複数の第２室内機と、ライン変換機構と、分配機構とを具備しており、
前記室外機は、
液状冷媒が流通する液ラインと、
ガス状冷媒が流通する第１ガスライン及び第２ガスラインと、
吸入したガス状冷媒を圧縮して吐出する圧縮機と、
前記圧縮機の吸入ポートの接続先を前記第１又は第２ガスラインのいずれか一方に切り換えるとともに、当該圧縮機の吐出ポートの接続先を前記第１又は第２ガスラインの他方に切り換える高低圧切換機構と、
前記液ラインに接続した流量制御可能な膨張弁及び当該膨張弁に直列接続した熱交換器を備えた室外熱交換ユニットと、
前記室外熱交換ユニットの熱交換器に、前記第１ガスライン又は第２ガスラインのいずれか一方を切換可能に接続する室外熱交換動作切換機構と、を備えたものであり、
前記第１室内機は、
直列接続した熱交換器及び膨張弁を備え、当該膨張弁が前記液ラインに、また、当該熱交換器が前記第１ガスラインにそれぞれ接続されて、前記高低圧切換機構の動作により冷暖房が切り換わるものであり、
前記第２室内機は、
直列接続した熱交換器及び膨張弁を備え、当該膨張弁を前記液ラインに接続したものであり、
前記ライン変換機構は、
前記室外機に接続されたものであって、前記高低圧切換機構の動作で高低圧が切り換わる前記第１及び第２ガスラインを、高低圧が固定された２つの固定ガスラインに変換するものであり、
前記分配機構は、
前記第２室内機とライン変換機構との間に介在するものであって、前記第２室内機の熱交換器を、前記高圧側固定ガスライン又は低圧側固定ガスラインのいずれかに切換可能に接続するものである
ことを特徴とする空気調和装置。
【請求項２】
前記ライン変換機構が、
前記第１ガスライン及び第２ガスラインにそれぞれ接続される変換元第１ポート及び変換元第２ポートと、
前記高圧側固定ガスライン及び低圧側固定ガスラインにそれぞれ接続される変換先第１ポート及び変換先第２ポートと、
前記変換元第１ポート及び前記変換先第１ポートを接続する第１流路と、
前記変換元第２ポート及び前記変換先第２ポートを接続する第２流路と、
前記変換元第１ポート及び前記変換先第２ポートを接続する第３流路と、
前記変換元第２ポート及び前記変換先第１ポートを接続する第４流路と、
前記第１流路上に設けられ、前記変換元第１ポートに向かう冷媒のみを流通させる第１逆止弁と、
前記第２流路上に設けられ、前記変換先第２ポートに向かう冷媒のみを流通させる第２逆止弁と、
前記第３流路上に設けられ、前記変換先第２ポートに向かう冷媒のみを流通させる第３逆止弁と、
前記第４流路上に設けられ、前記変換元第２ポートに向かう冷媒のみを流通させる第４逆止弁と、を具備したものである請求項１記載の空気調和装置。
【請求項３】
前記室外熱交換ユニットを複数並列に設けるとともに、互いに独立して動作可能な室外熱交換動作切換機構を、各室外熱交換ユニットにそれぞれ対応させて設けている請求項１又は２記載の空気調和装置。
【請求項４】
前記室外熱交換ユニットの膨張弁が閉塞可能なものであって、
いずれか又は全ての室外熱交換ユニットの熱交換機能を、膨張弁を閉塞して停止させ得るように構成するとともに、機能停止状態の熱交換ユニットに対応する室外熱交換動作切換機構が、当該熱交換ユニットの熱交換器を、前記第１ガスライン又は第２ガスラインのうちの低圧側に設定されているガスラインに接続するように構成している請求項３記載の空気調和装置。
【発明の詳細な説明】
【技術分野】
【０００１】
本発明は、冷暖房を各室で独立して切り換えることのできる多室型の空気調和装置に関するものである。 
【背景技術】
【０００２】
冷暖房を各室で独立して切り換えることのできるシステムとして従来知られているものに、例えば、各室ごとに１つの室外機と１つの室内機を設けたパッケージ型のシステム（冷暖房切換システムとも称される）や、１つの室外機に複数の室内機を設けたマルチ型のシステム（冷暖房同時システムとも称される）がある。
【０００３】
前者は、特許文献１にその一例が記載されているように、基本的には、室外機と室内機が吸入と吐出という２本の冷媒流通ラインで結ばれている構成を有する。そして、その２本の冷媒流通ラインに対して、室外機に設けられた圧縮機の吐出ポート及び吸入ポートが四方弁を介して接続されており、四方弁を動作させて２本の冷媒流通ラインの流れの方向を逆転させることで、室内機に対する冷媒の流れを反転させ、冷暖房を切り換えるようにしている。
【０００４】
一方、後者は、特許文献２にその一例が記載されているように、室外機と室内機が、圧縮機の吐出ポート及び吸入ポートに接続された前記２本のラインに加え、室外機における熱交換器の液側に接続されたもう１本のラインの計３本の冷媒流通ラインで結ばれている。この構成では、吸入と吐出の２本の冷媒流通ラインにおける流れの方向は変わらず、各室内機に設けた切換手段によって冷媒の流れを室内機毎に反転させ、冷房室と暖房室とが同時に混在できるように構成されている。
【０００５】
そして、上述したことからも明らかなように、冷暖房切換システムと冷暖房同時システムとでは、室外機における冷媒回路の構成がそもそも異なることから、全く別のシステムである。
【特許文献１】特開平１０−２２０９２３号公報
【特許文献２】特許第２６８２１５７号公報
【特許文献３】再公表２００３−８７６８１号公報
【発明の開示】
【発明が解決しようとする課題】
【０００６】
しかしながら、冷暖房を各室で独立して切り換えると言う大きな点で共通した機能を有する２つのシステムが、上述したように全く異なる構造を有することから、従来、開発コストや開発期間が別個に行われており、そこに無駄が生じたり、システムの拡張性や空調設計の自由度に悪影響を及ぼしたりしている。
【０００７】
これに対し、特許文献３に示すように、室外機における冷媒回路の構成を共用化できるようにしたものも考えられている。このものは、冷暖房同時室外機のサイクル構成に切換弁（四方弁）を追加することにより、冷暖房同時室外機と冷暖房切換室外機（ヒートポンプ）とを共用化している。ところが、冷暖房同時機種で高圧ガスラインに使用する配管を、冷暖房切換機種の冷房時には、低圧ガスラインとして使用しなければならず、冷房能力を確保するために配管径を太くせざるを得ない。そのために、専用の配管が多種必要になるなどして商品力において劣ったりする場合が生じ得る。
【０００８】
そこで、本発明は、冷暖房切換システムにおける室外機と、冷暖房同時システムにおける室外機の共用化を図り、開発コストの低減化や開発期間の短縮を図るとともに、商品的にも十分な競争力を有する空気調和装置を提供することをその主たる所期課題としたものである。
【課題を解決するための手段】
【０００９】
すなわち、本発明に係る空気調和装置は、室外機、単一又は同一モードで運転される複数の第１室内機、単一又は複数の第２室内機、ライン変換機構及び分配機構を具備したものである。そして上記各部は以下のような構成を有することを特徴とする。
前記室外機は、液状冷媒が流通する液ラインと、ガス状冷媒が流通する第１ガスライン及び第２ガスラインと、吸入したガス状冷媒を圧縮して吐出する圧縮機と、前記圧縮機の吸入ポートの接続先を前記第１又は第２ガスラインのいずれか一方に切り換えるとともに、当該圧縮機の吐出ポートの接続先を前記第１又は第２ガスラインの他方に切り換える高低圧切換機構と、前記液ラインに接続した膨張弁及び当該膨張弁に直列接続した熱交換器を備えた室外熱交換ユニットと、前記室外熱交換ユニットの熱交換器に、前記第１ガスライン又は第２ガスラインのいずれか一方を切換可能に接続する室外熱交換動作切換機構と、を備えたものである。
前記第１室内機は、直列接続した熱交換器及び膨張弁を備え、当該膨張弁が前記液ラインに、また、当該熱交換器が前記第１ガスラインにそれぞれ接続されて、前記高低圧切換機構の動作により冷暖房が切り換わるものである。
前記第２室内機は、直列接続した熱交換器及び膨張弁を備え、当該膨張弁を前記液ラインに接続したものである。
前記ライン変換機構は、前記室外機に接続されたものであって、前記高低圧切換機構の動作で高低圧が切り換わる前記第１及び第２ガスラインを、高低圧が固定された２つの固定ガスラインに変換するものである。
前記分配機構は、前記第２室内機とライン変換機構との間に介在するものであって、前記第２室内機の熱交換器を、前記高圧側固定ガスライン又は低圧側固定ガスラインのいずれかに切換可能に接続するものである。
【００１０】
このような構成であれば、冷暖房切換システムに用いられる室内機（第１室内機）は、高低圧切換機構の設定によって冷暖房を切り換えることができる。また、冷暖房同時システムに用いられる各室内機（第２室内機）は、分配機構の切換動作によってそれぞれ独立して冷暖房を切り換えることができる。
【００１１】
また、冷暖房切換室内機である第１室内機からみたとき、本発明に係る室外機は、従来の冷暖房切換室外機と同様、高圧ガスラインと低圧ガスラインとが切り換わるものであるから、この室外機に、第１室内機を配管等も含め、従来と同じように取りつけることができる。
【００１２】
一方、冷暖房同時室内機である第２室内機からみたとき、本発明に係る室外機は、ライン変換機構を介して、高低圧が固定された高圧側又は低圧側固定ガスラインを形成し、それら各固定ガスラインに分配機構を介して第２室内機を取りつけるようにしている。ところで、冷暖房同時室内機は、従来、高低圧が固定されたガスラインに分配機構を介して取りつけるものであるから、本発明に係る室外機に、ライン変換機構は介在するものの、第２室内機を配管等も含め、従来と同じように取りつけることができる。
【００１３】
したがって、ライン変換機構さえ用意しておけば、配管等も含めて従来の冷暖房切換室内機及び冷暖房同時室内機をそのまま使用することができるため、開発コストや開発期間を低減できるだけでなく、商品力においても低下を招くことがない。また、室外機にしても、従来の冷暖房切換室外機から、第２ガスライン及びそれに係る配管等のわずかな追加・改変で構成できることから、この点においても、開発コストや開発期間の低減に寄与し得る。
さらに、室外機の運転モード、すなわち、高低圧切換機構の動作は、第１室内機の運転モードで決定されるが、室外熱交換動作切換機構による切換動作及び膨張弁の拡縮調整によって、室内機全体としてみたときの総合負荷に応じた、室外熱交換ユニットの最適な熱交換機能の調整が可能となる。
【００１４】
前記ライン変換機構は、例えば分配機構に双方向電磁弁などの能動的なバルブとそれらを制御するコントローラ等を用いることでも構成可能であるが、より簡単で制御の不要な受動バルブのみで構成できれば、構成の簡単化やコストの低減を図ることができる。
【００１５】
その受動バルブのみを用いた具体的態様としては、前記ライン変換機構が、前記第１ガスライン及び第２ガスラインにそれぞれ接続される変換元第１ポート及び変換元第２ポートと、前記高圧側固定ガスライン及び低圧側固定ガスラインにそれぞれ接続される変換先第１ポート及び変換先第２ポートと、前記変換元第１ポート及び前記変換先第１ポートを接続する第１流路と、前記変換元第２ポート及び前記変換先第２ポートを接続する第２流路と、前記変換元第１ポート及び前記変換先第２ポートを接続する第３流路と、前記変換元第２ポート及び前記変換先第１ポートを接続する第４流路と、前記第１流路上に設けられ、前記変換元第１ポートに向かう冷媒のみを流通させる第１逆止弁と、前記第２流路上に設けられ、前記変換先第２ポートに向かう冷媒のみを流通させる第２逆止弁と、前記第３流路上に設けられ、前記変換先第２ポートに向かう冷媒のみを流通させる第３逆止弁と、前記第４流路上に設けられ、前記変換元第２ポートに向かう冷媒のみを流通させる第４逆止弁と、を具備したものを挙げることができる。
【００１６】
室内機全体としてみたときの総合負荷に応じた最適運転をより細やかにかつ広い範囲に亘って行うことができるようにし、またこれによって空調設計の自由度をも拡大できるようにするには、前記室外熱交換ユニットを複数並列に設けるとともに、各室外熱交換ユニットにそれぞれ対応させて室外熱交換動作切換機構を設け、なおかつ、各室外熱交換動作切換機構を互いに独立して動作させ得るように構成しているものが好ましい。
【００１７】
室内機の冷暖房に係る総合負荷が一定以下の場合などでは、各室外熱交換ユニットの機能を独立して停止させることができるように構成しておくことが望ましく、そのためには、例えば、室外熱交換ユニットの膨張弁を閉塞可能にしておけばよい。この場合、停止した熱交換器の内部に冷媒が残存することが考えられるが、この残存冷媒を冷媒循環経路に戻してその利用効率を向上させるためには、機能停止状態の熱交換ユニットに対応する室外熱交換動作切換機構によって、当該熱交換ユニットの熱交換器が、前記第１ガスライン又は第２ガスラインのうちの低圧側に設定されているガスラインに接続されるように構成しておけばよい。このことにより、残存冷媒がガスラインに吸引されるからである。
【発明の効果】
【００１８】
このように本発明によれば、冷暖房切換システムにおける室外機と、冷暖房同時システムにおける室外機の共用化（共通化）を図り、開発コストの低減化や開発期間の短縮を図ることができる。また、各室内機に対する接続は配管等も含めて既存のものを用いることができるうえ、冷暖房の負荷バランスに応じた最適な制御も可能であるため、商品力等における不利も生じ得ない。さらに、本発明に係る室外機は、従来の冷暖切換室外機に１本の配管とそれに対応するバルブを追加するだけで構成できるので、この点においても、開発コストの低減化や開発期間の短縮に寄与し得る。
【発明を実施するための最良の形態】
【００１９】
以下、本発明の一実施形態を、図面を参照して説明する。
【００２０】
［構成］
本実施形態に係る空気調和装置１００は、図１にその主要構成を模式的に示すように、単一の室外機１、単一の第１室内機２、複数の第２室内機３、ライン変換機構４及び分配機構５を具備している。
【００２１】
各部を説明する。
室外機１は、冷媒流出入のための３つのポートＰ１１、Ｐ１２、Ｐ１３、圧縮機１１、高低圧切換機構たる四方弁１２、室外熱交換ユニット１３、室外熱交換動作切換手段たる三方弁１４を具備している。
【００２２】
前記３つのポートＰ１１、Ｐ１２、Ｐ１３のうち、１つは、液状冷媒が流出入する液ポートＰ１３であり、他の２つはガス状冷媒が流出入する第１ガスポートＰ１１及び第２ガスポートＰ１２である。液ポートＰ１３には、内部配管である液ラインＬ１３が接続してあり、第１ガスポートＰ１１及び第２ガスポートＰ１２には、それぞれ内部配管である第１ガスラインＬ１１及び第２ガスラインＬ１２がそれぞれ接続してある。
【００２３】
圧縮機１１は、周知のごとく、その吸入ポートから吸入したガス状冷媒を圧縮し、吐出ポートから吐出するものであり、ロータリ式、ピストン式など種々のものを用いることができる。
【００２４】
四方弁１２は、４つのポートを有し、そのうちのＡポート及びＢポートが圧縮機１１の吸入ポート及び吐出ポートに内部配管を介して接続されているとともに、Ｃポート及びＤポートが前記第１ガスラインＬ１１及び第２ガスラインＬ１２にそれぞれ接続されている。そして、コントローラ（図示しない）などからの外部指令による内部弁体の移動により、圧縮機１１の吸入ポートの接続先を第１ガスラインＬ１１又は第２ガスラインＬ１２のいずれか一方に切り換えるとともに、圧縮機１１の吐出ポートの接続先を第１ガスラインＬ１１又は第２ガスラインＬ１２の他方に切り換えることができるように構成してある。
【００２５】
室外熱交換ユニット１３は、直列接続した熱交換器１３１及び開度の拡縮調整可能な電動式膨張弁１３２を具備したものである。膨張弁１３２は、さらに前記液ラインＬ１３に接続してあり、熱交換器１３１は、さらに熱交換動作切換手段である三方弁１４の１つのポートに接続してある。この三方弁１４の残った２つのポートは、それぞれ第１ガスラインＬ１１及び第２ガスラインＬ１２に連通させてあり、外部指令による内部弁体の移動により、前記熱交換器１３１が、第１ガスラインＬ１１及び第２ガスラインＬ１２のいずれかに選択的に接続されるように構成してある。なお、この実施形態では、この室外熱交換ユニット１３を複数（２つ）並列に設け、それに対応させて三方弁１４も同数（２つ）設けている。
【００２６】
次に、前記第１室内機２について説明する。このものは、前記室外熱交換ユニット１３同様、直列接続した熱交換器２１及び開度の拡縮調整可能な電動式膨張弁２２を具備したものである。そして、外部配管によって、膨張弁２２が前記室外機１の液ポートＰ１３に、熱交換器２１が該室外機１の第１ガスポートＰ１１にそれぞれ接続されて、前記四方弁１２の動作により冷暖房が切り換わるように構成されている。より具体的には、この第１室内機２に付帯させた操作手段や温度センサ等（図示しない）からの信号を、図示しないコントローラが受信して、四方弁１２を切り換え、冷暖房のいずれかのモードに設定するように構成してある。
【００２７】
前記第２室内機３は、第１室内機２同様、直列接続した熱交換器３１及び開度の拡縮調整可能な電動式膨張弁３２を備えたものである。そして外部配管によって、当該膨張弁３２を前記液ラインＬ１３に接続し、熱交換器３１を後述する分配機構５に接続している。
【００２８】
前記ライン変換機構４は、室外機１と第２室内機３との間に介在し、高低圧及び冷媒流通方向が切り替わる室外機１の２つのガスラインＬ１１、Ｌ１２を、高低圧及び冷媒流通方向が固定された２つの固定ガスラインＬＬ、ＬＨに変換するものである。なお、高圧側固定ガスラインＬＨとは、圧縮機の吐出側に連通し、高圧のガス状冷媒を分配機構側に向かって流通させる流路である。低圧側固定ガスラインＬＬとは、圧縮機の吸入側に連通し、低圧のガス状冷媒をライン変換機構側（室外機側）に向かって流通させる流路である。
【００２９】
しかして、変換元第１ポートＰ４１ａは、第１ガスラインに外部配管を介して接続されており、変換先第１ポートＰ４１ｂは、低圧側固定ガスラインＬＬに接続されている。また、変換元第２ポートＰ４２ａは、第２ガスラインに外部配管を介して接続されており、変換先第２ポートＰ４２ｂは、高圧側固定ガスラインＬＨに接続されている。
【００３０】
内部流路としては、変換元第１ポートＰ４１ａ及び変換先第１ポートＰ４１ｂを接続する第１流路Ｌ４１、変換元第２ポートＰ４２ａ及び変換先第２ポートＰ４２ｂを接続する第２流路Ｌ４２、変換元第１ポートＰ４１ａ及び変換先第２ポートＰ４２ｂを接続する第３流路Ｌ４３、変換元第２ポートＰ４２ａ及び変換先第１ポートＰ４１ｂを接続する第４流路Ｌ４４の計４本を具備しており、各流路Ｌ４１〜Ｌ４４に、冷媒流通方向を一方にのみ規制する逆止弁４１〜４４をそれぞれ設けている。
【００３１】
第１逆止弁４１は、第１流路Ｌ４１上において変換元第１ポートＰ４１ａに向かう冷媒のみを流通させるように設けられている。第２逆止弁４２は、第２流路Ｌ４２上において変換先第２ポートＰ４２ｂに向かう冷媒のみを流通させるように設けられている。第３逆止弁４３は、第３流路Ｌ４３上において変換先第２ポートＰ４２ｂに向かう冷媒のみを流通させるように設けられている。第４逆止弁４４は、第４流路Ｌ４４上において変換元第２ポートＰ４２ａに向かう冷媒のみを流通させるように設けられている。
【００３２】
なお、本実施形態のライン変換機構４は、液状冷媒を通過させる第５流路Ｌ４５をさらに有しており、その第５流路Ｌ４５の各端に外部接続用の中継ポートＰ４３ａ、Ｐ４３ｂをそれぞれ設けている。そして、外部配管を介して、一方の中継ポートＰ４３ａを前記液ポートＰ１３に接続し、他方の中継ポートＰ４３ｂを後述する分配機構５に接続するように構成している。
【００３３】
分配機構５は、第２室内機３とライン変換機構４との間に介在するものであって、前記第２室内機３の熱交換器３１を、前記高圧側固定ガスラインＬＨ又は低圧側固定ガスラインＬＬのいずれかに切換可能に接続するものである。具体的にこのものは、各第２室内機３にそれぞれ対応して設けた切換ユニット５３を、複数（ここでは２つ）有している。各切換ユニット５３は、２本の分岐流路Ｌ５１、Ｌ５２及び１本の液流路Ｌ５３と、各分岐流路Ｌ５１、Ｌ５２にそれぞれ設けた電磁式の開閉弁５１、５２を具備している。各分岐流路Ｌ５１、Ｌ５２の一端は、いずれも室内機側接続ポートＰ５５を介して、第２室内機３の熱交換器３１に接続してあり、他端は、ライン変換機構側接続ポートＰ５１、Ｐ５２を介して、一方が高圧側固定ガスラインＬＨ、他方が低圧側固定ガスラインＬＬに接続してある。液流路Ｌ５３は、一端が室内機側接続ポートＰ５４を介して第２室内機３の膨張弁３２に、他端がライン変換機構側接続ポートＰ５３を介して、ライン変換機構４の第５流路Ｌ４５に接続されている。
【００３４】
［動作］
次に、このような構成の空気調和装置１００の動作を、図２〜図１２を参照しつつ、説明する。なお、図２〜図１１中、閉塞状態の弁は黒く塗りつぶし、開放状態のものは白抜きで表現している。
【００３５】
［［冷房モード］］
例えば、第１室内機２を冷房モードにすると、図示しないコントローラがこれを検知して、室外機１の四方弁１２を図２〜図６の状態、すなわち第１ガスラインＬ１１が圧縮機１１の吸入側に接続された低圧ガスラインとなり、第２ガスラインＬ１２が圧縮機１１の吐出側に接続された高圧ガスラインとなる状態に制御する。以下にこの冷房モードでの負荷の状態による冷媒の流れ等を説明する。
【００３６】
［［冷房モード：冷房負荷≫暖房負荷］］
例えば第２室内機３のいずれにも大きな冷房負荷が作用しているなど、室内機全体としてみたときの冷房負荷が暖房負荷に比べて非常に大きい場合（図１２、パターン１の場合）は、コントローラが三方弁１４を制御して、各室外熱交換器１３１を、高圧ガスラインである第２ガスラインＬ１２に接続し、それらのいずれもが凝縮器として作用するように設定する。また、コントローラは、分配機構５の開閉弁５１、５２を制御して、高圧側固定ガスラインＬＨに接続されている分岐流路Ｌ５２を閉塞し、低圧側固定ガスラインＬＬに接続されている分岐流路Ｌ５１を開放することで、これら第２室内機３がいずれも冷房作用を営むように設定する。
【００３７】
このときの冷媒の流れを、図２に基づいて説明すると、圧縮機１１の吐出ポートから出た高圧ガス状冷媒は、四方弁１２、三方弁１４を通って、各室外熱交換ユニット１３に導入され、そこで液化して液状冷媒となった後、液ラインＬ１３を通って室外機１から導出される。
【００３８】
そして、室外機１から導出された液状冷媒の一部は、第１室内機２に流入し、膨張弁２２で減圧された後、熱交換器２１で気化して冷房作用を営んだ後、低圧ガス状冷媒となって排出される。この低圧ガス状冷媒は、第１ガスラインＬ１１から四方弁１２を経て、圧縮機１１の吸入ポートに戻る。
【００３９】
一方、室外機１の液ポートＰ１３から導出された残りの液状冷媒は、ライン変換機構４の第５流路Ｌ４５、分配機構５の液流路Ｌ５３を通り、各第２室内機３に導入される。そして、それら各第２室内機３の膨張弁３２で減圧された後、熱交換器３１で気化して冷房作用を営み、第２室内機３から排出される。排出された低圧ガス状冷媒は、分配機構５における開放状態の分岐流路Ｌ５１を通って低圧側固定ガスラインＬＬに流入する。そして、ライン変換機構４の第１流路Ｌ４１から第１ガスラインＬ１１を通り、第１室内機２からの低圧ガス状冷媒と合流して、圧縮機１１の吸入ポートに戻る。
【００４０】
［［冷房モード：冷房負荷＞暖房負荷］］
例えば第２室内機３の一方が比較的大きな冷房負荷、他方が小さな暖房負荷の場合のように、室内機全体としてみたときの冷房負荷が暖房負荷よりも少し大きい場合（図１２、パターン２の場合）は、コントローラが一方の三方弁１４を制御して、高圧ガスラインである第２ガスラインＬ１２に一方の室外熱交換器１３１を接続し、これを凝縮器とする一方、他方の熱交換器１３１に対しては、対応する膨張弁１３２を閉塞するなどして冷媒の流通を阻害し、その熱交換機能を停止させる。さらに、この実施形態では、コントローラが、他方の三方弁１４を制御して、機能停止状態にある熱交換器１３１の一端を低圧ガスラインである第１ガスラインＬ１１に接続するようにしている。これは、熱交換器１３１内の残存冷媒を吸引し、冷媒利用効率の向上を図るためである。また、コントローラは、図３に示すように、分配機構５の開閉弁５１、５２を制御し、各切換ユニット５３の開閉状態を互いに逆にして、各第２室内機３内の冷媒の流れが互いに逆になるようにし、一方の第２室内機３が冷房、他方が暖房作用を営むように設定する。
【００４１】
しかして、図３から明らかなように、圧縮機１１の吐出ポートから出た高圧ガス状冷媒は、四方弁１２を通った後、一部は一方の三方弁１４から室外熱交換器１３１に流入して凝縮・液化され、液ラインＬ１３を通って室外機１から導出される。
【００４２】
この液ポートＰ１３から導出された液状冷媒は、パターン１（図２）と同様、その一部が、第１室内機２に導入されて気化し、冷房作用を営んだ後、低圧ガスラインである第１ガスラインＬ１１から四方弁１２を経て、圧縮機１１の吸入ポートに戻る。また、残りの液状冷媒は、ライン変換機構４の第５流路Ｌ４５、分配機構５の液流路Ｌ５３を通過して、一方の第２室内機３に導入される。そして第２室内機３で気化して冷房作用を営んだ後、分配機構５から低圧側固定ガスラインＬＬ、ライン変換機構４の第１流路Ｌ４１、室外機１の第１ガスラインＬ１１をこの順に経て、圧縮機１１の吸入ポートに戻る。
【００４３】
一方、四方弁１２を通った残りの高圧ガス状冷媒は、第２ガスラインＬ１２を通って室外機１から導出され、ライン変換機構４の第２流路Ｌ４２を経て、高圧側固定ガスラインＬＨに流入する。そして、分配機構５の分岐流路Ｌ５２を通過して、他方の第２室内機３に導入され、その熱交換器で暖房作用を営みつつ、凝縮して液化する。この液状冷媒は、分配機構５の液流路Ｌ５３において、液ポートＰ１３から流れ込んできた液状冷媒と合流し，冷房モードにある前記一方の第２室内機３に流入する。
【００４４】
なお、第１室内機２と第２室内機３の冷暖房負荷バランスによっては、ライン変換機構４における第５流路Ｌ４５内の液状冷媒の流れが、図３の点線矢印に示すように、前記とは逆転し、他方の第２室内機３から流出した液状冷媒が、ライン変換機構４の第５流路Ｌ４５を通った後，液ポートＰ１３から導出された液状冷媒と合流して第１室内機２に流入する場合もある。
【００４５】
［［冷房モード：冷房負荷≒暖房負荷］］
室内機の冷房負荷と暖房負荷がほぼ釣り合っている場合（図１２、パターン３の場合）、図４に示すように、コントローラが、室外機１の各膨張弁１３２を閉塞し、全ての室外熱交換器１３１の機能を停止させるとともに、各三方弁１４を制御して、各室外熱交換器１３１の一端を低圧ガスラインである第１ガスラインＬ１１に接続する。これは、パターン２同様、室外熱交換器１３１内の残存冷媒を吸引し、冷媒の利用効率を向上するためである。また、コントローラは、分配機構５の開閉弁５１、５２を制御し、各切換ユニット５３の開閉状態を互いに逆にして各第２室内機３内の冷媒の流れが互いに逆になるようにし、一方の第２室内機３が暖房、他方が冷房となるように設定する。
【００４６】
しかして、図４から明らかなように、圧縮機１１の吐出ポートから出た高圧ガス状冷媒は、全て四方弁１２、第２ガスラインＬ１２を通って室外機１から導出され、ライン変換機構４の第２流路Ｌ４２を経て、高圧側固定ガスラインＬＨに流入する。そして、分配機構５の分岐流路Ｌ５２を通過して、一方の第２室内機３に導入され、その熱交換器３１で凝縮して液化し、暖房作用を営む。ここで液化した冷媒は、分配機構５の液流路Ｌ５３に流入した後、その一部は、他方の第２室内機３の熱交換器３１に膨張弁３２側から流入し、そこで気化して冷房作用を営む。そして分配機構５から低圧側固定ガスラインＬＬ、ライン変換機構４の第１流路Ｌ４１、室外機１の第１ガスラインＬ１１、四方弁１２をこの順に経て、圧縮機１１の吸入ポートに戻る。残りの液状冷媒は、ライン変換機構４の第５流路Ｌ４５を通って、第１室内機２に導かれ、気化することで冷房作用を営んだ後、低圧ガスラインである第１ガスラインＬ１１から四方弁１２を経て、やはり圧縮機１１の吸入ポートに戻る。
【００４７】
［［冷房モード：冷房負荷＜暖房負荷］］
例えば第２室内機３の一方が大きな暖房負荷、他方が小さな冷房負荷の場合など、室内機全体としてみたときの暖房負荷が冷房負荷よりも少し大きい場合（図１２、パターン４の場合）は、図５に示すように、コントローラが一方の三方弁１４を制御して、低圧ガスラインである第１ガスラインＬ１１に一方の室外熱交換器１３１を接続し、これを蒸発器とする。また、パターン２同様、他方の熱交換器１３１に対しては、対応する膨張弁１３２を閉塞するなどして冷媒の流通を阻害し、その熱交換機能を停止させるとともに、対応する三方弁１４を制御して、前記他方の室外熱交換器１３１の一端を低圧ガスラインである第１ガスラインＬ１１に接続し、冷媒利用効率の向上を図る。さらにコントローラは、分配機構５の開閉弁５１、５２を制御して各第２室内機３内の冷媒の流れが互いに逆になるようにし、一方の第２室内機３が暖房、他方が冷房となるように設定する。
【００４８】
しかして、図５から明らかなように、圧縮機１１の吐出ポートから出た高圧ガス状冷媒は、全て四方弁１２、第２ガスラインＬ１２を通って室外機１から導出され、ライン変換機構４の第２流路Ｌ４２を経て、高圧側固定ガスラインＬＨに流入する。そして、分配機構５の分岐流路Ｌ５２を通過して、一方の第２室内機３に導入され、その熱交換器で凝縮して液化し、暖房作用を営む。ここで液化した冷媒は、分配機構５の液流路Ｌ５３に流入した後、その一部は、他方の第２室内機３における熱交換器３１に膨張弁３２側から流入し、そこで気化して冷房作用を営む。そして分配機構５から低圧側固定ガスラインＬＬ、ライン変換機構４の第１流路Ｌ４１、室外機１の第１ガスラインＬ１１、四方弁１２をこの順に経て、圧縮機１１の吸入ポートに戻る。残りの液状冷媒は、ライン変換機構４の第５流路Ｌ４５を通った後、さらに分岐して一部は第１室内機２に導かれ、残りは一方の室外熱交換ユニット１３に導かれる。そしていずれも気化した後、低圧ガスラインである第１ガスラインＬ１１から四方弁１２を経て、圧縮機１１の吸入ポートに戻る。
【００４９】
［［冷房モード：冷房負荷≪暖房負荷］］
第２室内機３のいずれもが大きな暖房負荷の場合など、室内機全体としてみたときの暖房負荷が冷房負荷よりも非常に大きい場合（図１２、パターン５の場合）は、図６に示すように、コントローラが各三方弁１４を制御して、低圧ガスラインである第１ガスラインＬ１１に全ての室外熱交換器１３１を接続し、これらを蒸発器とするとともに、分配機構５の開閉弁５１、５２を制御して、低圧側固定ガスラインＬＬに接続されている分岐流路Ｌ５１を閉塞し、高圧側固定ガスラインＬＨに接続されている分岐流路Ｌ５２を開放する。
【００５０】
しかして、図６から明らかなように、圧縮機１１の吐出ポートから出た高圧ガス状冷媒は、全て、四方弁１２、第２ガスラインＬ１２を通って室外機１から導出され、その後、ライン変換機構４の第２流路Ｌ４２を経て、高圧側固定ガスラインＬＨに流入する。そして、分配機構５の分岐流路Ｌ５２を通過して、各第２室内機３に導入され、それらの熱交換器３１で凝縮して液化し、暖房作用を営む。液化した冷媒は、分配機構５の液流路Ｌ５３に流入し、ライン変換機構４の第５流路Ｌ４５を通った後、その一部が第１室内機２、残りが各室外熱交換ユニット１３に導かれる。そして気化した後、合流して低圧ガスラインである第１ガスラインＬ１１から四方弁１２を経て、圧縮機１１の吸入ポートに戻る。
【００５１】
［［暖房モード］］
第１室内機２を暖房モードにすると、コントローラがこれを検知して室外機１の四方弁１２を図７〜図１１の状態、すなわち第１ガスラインＬ１１が圧縮機１１の吐出側に接続された高圧ガスラインとなり、第２ガスラインＬ１２が圧縮機１１の吸入側に接続された低圧ガスラインとなる状態に制御する。なお、以下に暖房モードでの負荷の状態による冷媒の流れ等を説明するが、前記冷房モードと動作が共通する部分は説明を簡略化する場合もある。
【００５２】
［［暖房モード：暖房負荷≫冷房負荷］］
例えば第２室内機３のいずれにも大きな暖房負荷が作用しており、室内機全体としてみたときの暖房負荷が冷房負荷に比べて非常に大きい場合（図１２、パターン６の場合）は、図７に示すように、コントローラが三方弁１４を制御して、各室外熱交換器１３１を低圧ガスラインである第２ガスラインＬ１２に接続し、それらのいずれもが蒸発器として作用するように設定する。また、コントローラは、分配機構５の開閉弁５１、５２を制御して、高圧側固定ガスラインＬＨに接続されている分岐流路Ｌ５２を開放し、低圧側固定ガスラインＬＬに接続されている分岐流路Ｌ５１を閉塞する。
【００５３】
さて、圧縮機１１の吐出ポートから出た高圧ガス状冷媒は、全て四方弁１２、第１ガスラインＬ１１を通って、室外機１から流出する。
その後、高圧ガス状冷媒の一部は、第１室内機２に導かれ、凝縮することで暖房作用を営んだ後、液状冷媒となって液ポートＰ１３から室外機１に再度導入される。そして、各室外熱交換ユニット１３で蒸発し、低圧ガス状冷媒となって三方弁１４、四方弁１２を介し圧縮機１１の吸入ポートに戻る。
【００５４】
一方、室外機１から導出された高圧ガス状冷媒の残りは、逆止弁４１、４３の作用によりライン変換機構４の第３流路Ｌ４３を経て、高圧側固定ガスラインＬＨに流入する。そして、分配機構５の分岐流路Ｌ５２を通過して、各第２室内機３に導入され、暖房作用を営んだ後、液状冷媒となって分配機構５の液流路Ｌ５３から排出される。その後、ライン変換機構４の第５流路Ｌ４５を経て第１室内機２からの液状冷媒と合流し、室外熱交換ユニット１３で蒸発し、低圧ガス状冷媒となって圧縮機１１の吸入ポートに戻る。
【００５５】
［［暖房モード：暖房負荷＞冷房負荷］］
例えば第２室内機３の一方が大きな暖房負荷、他方が小さな冷房負荷の場合など、室内機全体としてみたときの暖房負荷が冷房負荷よりも少し大きい場合（図１２、パターン７の場合）は、図８に示すように、コントローラが一方の三方弁１４を制御して、低圧ガスラインである第２ガスラインＬ１２に一方の室外熱交換器１３１を接続し、これを蒸発器とする。また、他方の熱交換器１３１に対しては、対応する膨張弁１３２を閉塞するなどして冷媒の流通を阻害し、その熱交換機能を停止させるとともに、対応する三方弁１４を制御して、前記他方の室外熱交換器１３１の一端を、低圧の第２ガスラインＬ１２に接続し、冷媒利用効率の向上を図る。さらにコントローラは、分配機構５の開閉弁５１、５２を制御して各第２室内機３内の冷媒の流れが互いに逆になるようにし、一方の第２室内機３が暖房、他方が冷房となるように設定する。
【００５６】
さて、圧縮機１１の吐出ポートから出た高圧ガス状冷媒は、図８から明らかなように、全て高圧ガスラインである第１ガスラインＬ１１を通って室外機１から流出する。
【００５７】
そしてその一部は、第１室内機２に導入されて凝縮し、暖房作用を営んだ後、液状冷媒となって室外機１の液ポートＰ１３から膨張弁１３２を経て一方の室外熱交換器１３１に流入する。そこで蒸発して低圧ガス状冷媒となり、三方弁１４、四方弁１２を介して圧縮機１１の吸入側に戻る。
【００５８】
一方、高圧ガス状冷媒の残りは、ライン変換機構４に流入し、逆止弁４１、４３の働きで第３流路Ｌ４３を流れ、高圧側固定ガスラインＬＨに導かれる。さらにそこから分配機構５の一方の分岐流路Ｌ５２を経て、一方の第２室内機３に流れ込み、そこで凝縮して暖房作用を営みつつ液化する。液化したこの冷媒は、分配機構５の液流路Ｌ５３で分岐し、一部はライン変換機構４の第５流路Ｌ４５に流れ込んで前記第１室内機２からの液状冷媒と合流する。残りの液状冷媒は、他方の第２室内機３に流入し、冷房作用を営んで低圧ガス状冷媒となった後、分配機構５、低圧側固定ガスラインＬＬを介してライン変換機構４に流れ込む。そして逆止弁４１、４４の働きにより、第４流路Ｌ４４から室外機１の第２ガスラインＬ１２に流れ込み、四方弁１２を介して圧縮機１１の吸入側に戻る。
【００５９】
なお、第２室内機３間の冷暖房の負荷バランスによっては、ライン変換機構４の第５流路Ｌ４５における液状冷媒の流れが、図８の点線に示すように逆になる場合もある。
【００６０】
［［暖房モード：暖房負荷≒冷房負荷］］
室内機の冷房負荷と暖房負荷がほぼ釣り合っている場合（図１２、パターン８の場合）、図９に示すように、コントローラが、室外機１の各膨張弁を閉塞し、全ての室外熱交換器の機能を停止させるとともに、各三方弁１４を制御して、各室外熱交換器の一端を低圧ガスラインである第２ガスラインＬ１２に接続し、残存冷媒の吸引による冷媒利用効率の向上を図る。さらに、コントローラは、分配機構５の開閉弁５１、５２を制御し、各切換ユニット５３の開閉状態を互いに逆にして各第２室内機３内の冷媒の流れが互いに逆になるようにし、一方の第２室内機３が暖房、他方が冷房となるように設定する。
【００６１】
さて、圧縮機１１の吐出ポートから出た高圧ガス状冷媒は、図９から明らかなように、その全てが高圧ガスラインである第１ガスラインＬ１１を通って室外機１から流出する。
そしてその一部は、第１室内機２に導入されて凝縮し、暖房作用を営んだ後、液状冷媒となってライン変換機構４の第５流路Ｌ４５を介し、分配機構５の液流路Ｌ５３に流入する。
【００６２】
残りの高圧ガス状冷媒は、ライン変換機構４に流入し、逆止弁４１、４３の働きで第３流路Ｌ４３を流れ、高圧側固定ガスラインＬＨに導かれる。さらにそこから分配機構５の一方の分岐流路Ｌ５２を経て、一方の第２室内機３に流れ込み、そこで凝縮して暖房作用を営みつつ液化する。
【００６３】
液化したこの冷媒は、分配機構５の液流路Ｌ５３に流れ込み、第５流路Ｌ４５を介して流れ込んできた液状冷媒と合流して、他方の第２室内機３に導入される。そして、そこで冷房作用を営んで低圧ガス状冷媒となった後、分配機構５、低圧側固定ガスラインＬＬを介してライン変換機構４に戻る。ライン変換機構４に流れ込んだ低圧ガス状冷媒は、逆止弁４１、４４の働きにより、第４流路Ｌ４４から室外機１の第２ガスラインＬ１２に流れ込み、四方弁１２を介して圧縮機１１の吸入側に戻る。
【００６４】
［［暖房モード：暖房負荷＜冷房負荷］］
例えば第２室内機３の一方が小さな暖房負荷、他方が大きな冷房負荷の場合など、室内機全体としてみたときの暖房負荷が冷房負荷よりも少し小さい場合（図１２、パターン９の場合）は、図１０に示すように、コントローラが一方の三方弁１４を制御して、高圧ガスラインである第１ガスラインＬ１１に一方の室外熱交換器１３１を接続し、これを凝縮器とする。また、他方の熱交換器１３１に対しては、対応する膨張弁１３２を閉塞するなどして冷媒の流通を阻害し、その熱交換機能を停止させるとともに、対応する三方弁１４を制御して、前記他方の室外熱交換器１３１の一端を前記第２ガスラインＬ１２に接続し、残存冷媒の吸引による冷媒利用効率の向上を図る。さらにコントローラは、分配機構５の開閉弁５１、５２を制御して各第２室内機３内の冷媒の流れが互いに逆になるようにし、一方の第２室内機３が暖房、他方が冷房となるように設定する。
【００６５】
さて、圧縮機１１の吐出ポートから出た高圧ガス状冷媒は、図１０から明らかなように、その一部が、高圧ガスラインである第１ガスラインＬ１１を通って室外機１から流出する一方、残りは、一方の室外熱交換器１３１で凝縮し、液状冷媒となって液ポートＰ１３を介して室外機１から流出する。
【００６６】
第１ガスラインＬ１１から室外機１を流出した高圧ガス状冷媒は、そのうちの一部が、第１室内機２に導入されて凝縮し、暖房作用を営んだ後、液状冷媒となる。そして、この液状冷媒は、前述した室外熱交換器１３１で凝縮した液状冷媒と合流し、ライン変換機構４の第５流路Ｌ４５を介して分配機構５の液流路Ｌ５３に流入する。
【００６７】
また残りの高圧ガス状冷媒は、ライン変換機構４における逆止弁４１、４３の働きで第３流路Ｌ４３を流れ、高圧側固定ガスラインＬＨに導かれる。そして、分配機構５の一方の分岐流路Ｌ５２を経て、一方の第２室内機３に流れ込み、そこで凝縮して暖房作用を営みつつ液化する。
【００６８】
液化したこの冷媒は、分配機構５の液流路Ｌ５３に流れ込み、第５流路Ｌ４５を介して流れ込んできた液状冷媒と合流して、他方の第２室内機３に導入される。そして、冷房作用を営んで低圧ガス状冷媒となった後、分配機構５、低圧側固定ガスラインＬＬを介してライン変換機構４に戻る。ライン変換機構４に流れ込んだ低圧ガス状冷媒は、逆止弁４１、４４の働きにより、第４流路Ｌ４４から室外機１の第２ガスラインＬ１２に流れ込み、四方弁１２を介して圧縮機１１の吸入側に戻る。
【００６９】
［［暖房モード：暖房負荷≪冷房負荷大］］
第２室内機３の全てが大きな冷房負荷の場合など、室内機全体としてみたときの冷房負荷が暖房負荷に比べ非常に大きい場合（図１２、パターン１０の場合）は、図１１に示すように、コントローラが各三方弁１４を制御して、高圧ガスラインである第１ガスラインＬ１１に各室外熱交換器１３１を接続し、これらを凝縮器とする。さらにコントローラは、分配機構５の開閉弁５１、５２を制御して各第２室内機３内の冷媒の流れを制御し、各第２室内機３が冷房となるように設定する。
【００７０】
さて、圧縮機１１の吐出ポートから出た高圧ガス状冷媒は、図１１から明らかなように、その一部が、高圧ガスラインである第１ガスラインＬ１１を通って第１室内機２に導入されて凝縮し、暖房作用を営んだ後、液状冷媒となる。残りは各室外熱交換ユニット１３で凝縮し、液状冷媒となって液ポートＰ１３を介して室外機１から流出する。
【００７１】
これら液状冷媒は、合流してライン変換機構４に流れ込み、第５流路Ｌ４５を介して分配機構５の液流路Ｌ５３に導入される。そして、各第２室内機３に膨張弁３２側から流入し、気化して冷房作用を営んだ後、低圧ガス状冷媒となって排出される。この低圧ガス状冷媒は、分配機構５の他方の分岐流路Ｌ５１を介してライン変換機構４に導入され、逆止弁４１、４４の働きにより第４流路Ｌ４４を通じて室外機１の第２ガスラインＬ１２に流れ込む。そして四方弁１２を介して圧縮機１１の吸入側に戻る。
【００７２】
［効果］
したがって、このような構成であれば、冷暖房切換システムに用いられる室内機（第１室内機２）は、四方弁１２の設定によって冷暖房を切り換えることができる。また、冷暖房同時システムに用いられる各室内機（第２室内機３）は、分配機構５の切換動作によってそれぞれ独立して冷暖房を切り換えることができる。
【００７３】
また、冷暖房切換室内機である第１室内機２からみたとき、この室外機１は、従来の冷暖房切換室外機と同様、高圧ガスラインと低圧ガスラインとが切り換わるものであるから、この室外機に、第１室内機２を配管等も含め、従来と同じように取りつけることができる。
【００７４】
一方、冷暖房同時室内機である第２室内機３からみたとき、この室外機１は、ライン変換機構４を介して、高低圧が固定された高圧側又は低圧側固定ガスラインＬＬを形成し、それら各固定ガスラインＬＬ、ＬＨに、分配機構５を介して取りつけられている。ところで、冷暖房同時室内機は、従来、高低圧が固定されたガスラインに分配機構を介して取りつけるものであるから、本室外機１に、ライン変換機構４は介在するものの、第２室内機３を配管等も含め、やはり従来と同じように取りつけることができる。
【００７５】
したがって、ライン変換機構４さえ用意しておけば、配管等も含めて従来の冷暖房切換室内機及び冷暖房同時室内機をそのまま使用することができるため、開発コストや開発期間を低減できるだけでなく、商品力においても低下を招くことがない。また、室外機１にしても、従来の冷暖房切換室外機をもとにして、第２ガスラインＬ１２及びそれに係る配管等のわずかな追加・改変で構成できることから、この点においても、開発コストや開発期間の低減に寄与し得る。
【００７６】
さらに、室外機１の運転モード、すなわち、四方弁１２の動作は、第１室内機２の運転モードで決定されるが、三方弁１４による切換動作及び膨張弁１３２の拡縮調整によって、室内機全体としてみたときの総合負荷に応じた、室外熱交換ユニット１３の最適な熱交換機能の調整が可能となる。
【００７７】
特にこの実施形態では、室外熱交換ユニット１３を複数並列に設けるとともに、各室外熱交換ユニット１３にそれぞれ対応させて室外熱交換動作切換機構を設け、なおかつ、各三方弁１４を互いに独立して動作させ得るように構成しているため、室内機全体としてみたときの総合負荷に応じた最適運転をより細やかにかつ広い範囲に亘って行うことができる。
そして以上のことにより、冷暖房切換室内機２と冷暖房同時室内機３との混在が可能であり、幅広い空調負荷に対応した運転が可能となるため、空調設計の自由度を拡大することができる。
【００７８】
なお、本発明は前記各実施形態に限られるものではない。
例えば、ライン変換機構を、分配機構に双方向電磁弁などの能動的なバルブとそれらを制御するコントローラ等を用いることでも構成可能である。また、三方弁や四方弁などの切換機構は、この種のバルブに限られるものではない。第２室内機を３以上設けてもよいし、第１室内機は、複数であっても冷暖房モードが常に同一モードで運転されるものであればよい。
その他、本発明は、その趣旨を逸脱しない範囲で種々の変形が可能であることは言うまでもない。
【図面の簡単な説明】
【００７９】
【図１】本発明の一実施形態に係る空気調和装置の概要を示す回路図。
【図２】同実施形態における空気調和装置の動作（パターン１）を示す冷媒流通方向を表示した回路図。
【図３】同実施形態における空気調和装置の動作（パターン２）を示す冷媒流通方向を表示した回路図。
【図４】同実施形態における空気調和装置の動作（パターン３）を示す冷媒流通方向を表示した回路図。
【図５】同実施形態における空気調和装置の動作（パターン４）を示す冷媒流通方向を表示した回路図。
【図６】同実施形態における空気調和装置の動作（パターン５）を示す冷媒流通方向を表示した回路図。
【図７】同実施形態における空気調和装置の動作（パターン６）を示す冷媒流通方向を表示した回路図。
【図８】同実施形態における空気調和装置の動作（パターン７）を示す冷媒流通方向を表示した回路図。
【図９】同実施形態における空気調和装置の動作（パターン８）を示す冷媒流通方向を表示した回路図。
【図１０】同実施形態における空気調和装置の動作（パターン９）を示す冷媒流通方向を表示した回路図。
【図１１】同実施形態における空気調和装置の動作（パターン１０）を示す冷媒流通方向を表示した回路図。
【図１２】同実施形態における空気調和装置の各動作パターンにおける熱交換器の機能を表示したパターン表。
【符号の説明】
【００８０】
１００・・・空気調和装置１００
１・・・室外機
２・・・第１室内機
３・・・第２室内機
４・・・ライン変換機構
５・・・分配機構
Ｌ１３・・・液ライン
Ｌ１１・・・第１ガスライン
Ｌ１２・・・第２ガスライン
１１・・・圧縮機１１
１２・・・高低圧切換機構（四方弁）
１３・・・室外熱交換ユニット
１４・・・室外熱交換動作切換機構（三方弁）
ＬＨ・・・高圧側固定ガスライン
ＬＬ・・・低圧側固定ガスライン
Ｐ４１ａ・・・変換元第１ポート
Ｐ４２ａ・・・変換元第２ポート
Ｐ４１ｂ・・・変換先第１ポート
Ｐ４２ｂ・・・変換先第２ポート
Ｌ４１〜Ｌ４５・・・第１流路〜第５流路
４１〜４４・・・第１逆止弁〜第４逆止弁
Ｐ４３ａ、Ｐ４３ｂ・・・中継ポート
【図１】
0004629083.tif 000002
【図２】
0004629083.tif 000003
【図３】
0004629083.tif 000004
【図４】
0004629083.tif 000005
【図５】
0004629083.tif 000006
【図６】
0004629083.tif 000007
【図７】
0004629083.tif 000008
【図８】
0004629083.tif 000009
【図９】
0004629083.tif 000010
【図１０】
0004629083.tif 000011
【図１１】
0004629083.tif 000012
【図１２】
0004629083.tif 000013